(57)【要約】【課題】直接的なユーザ操作を必要とすることなく、電源スイッチを操作することにより、装置の駆動状態と、電源スイッチの操作状態との不一致を防止する画像処理装置、その制御方法、及びプログラムを提供する。【解決手段】本画像処理装置は、シャットダウン指示を受け付けた場合に、シャットダウン処理の実行が完了すると、当該シャットダウン指示が画像処理装置に設けられた操作部を介して受け付けられた場合には、画像処理装置の電源を制御するための電源スイッチをＯＦＦ状態に操作するように操作者へ促す表示を表示部に表示し、シャットダウン指示が画像処理装置に通信可能に接続された外部装置を介して受け付けられた場合には、電源スイッチの駆動手段を用いて該電源スイッチをＯＦＦ状態に切り替える。【選択図】図５
2013122672.tif 000002
【特許請求の範囲】
【請求項１】
画像処理装置であって、
前記画像処理装置のシャットダウン指示を受け付ける受付手段と、
受け付けた前記シャットダウン指示に従って前記画像処理装置のシャットダウン処理を実行するシャットダウン手段と、
前記シャットダウン手段による前記シャットダウン処理の実行が完了すると、前記シャットダウン指示が前記画像処理装置に設けられた操作部を介して受け付けられた場合には、前記画像処理装置の電源を制御するための電源スイッチをＯＦＦ状態に操作するように操作者へ促す表示を表示部に表示し、前記シャットダウン指示が前記画像処理装置に通信可能に接続された外部装置を介して受け付けられた場合には、前記電源スイッチの駆動手段を用いて該電源スイッチをＯＦＦ状態に切り替える制御手段と
を備えることを特徴とする画像処理装置。
【請求項２】
操作者の入力に従って、前記電源スイッチをＯＦＦ状態に制御するための電源スイッチＯＦＦモードを設定する設定手段と、
前記設定手段によって前記電源スイッチＯＦＦモードが設定されているか否かを判定する判定手段と
をさらに備え、
前記制御手段は、前記シャットダウン指示が前記画像処理装置に設けられた操作部を介して受け付けられたか、又は、前記画像処理装置に通信可能に接続された外部装置を介して受け付けられたかに関わらず、前記判定手段によって前記電源スイッチＯＦＦモードが設定されていないと判定されると、前記画像処理装置の電源を制御するための電源スイッチをＯＦＦ状態に操作するように操作者へ促す表示を前記表示部に表示し、前記判定手段によって前記電源スイッチＯＦＦモードが設定されていると判定されると、前記電源スイッチの駆動手段を用いて該電源スイッチをＯＦＦ状態に切り替えることを特徴とする請求項１に記載の画像処理装置。
【請求項３】
前記駆動手段は、ソレノイドであり、
前記制御手段は、前記ソレノイドに対して通電するか否かを制御することにより、該電源スイッチの操作状態を切り替えることを特徴とする請求項１又は２に記載の画像処理装置。
【請求項４】
画像処理装置の制御方法であって、
受付手段が、前記画像処理装置のシャットダウン指示を受け付ける受付ステップと、
シャットダウン手段が、受け付けた前記シャットダウン指示に従って前記画像処理装置のシャットダウン処理を実行するシャットダウンステップと、
制御手段が、前記シャットダウンステップにおける前記シャットダウン処理の実行が完了すると、前記シャットダウン指示が前記画像処理装置に設けられた操作部を介して受け付けられた場合には、前記画像処理装置の電源を制御するための電源スイッチをＯＦＦ状態に操作するように操作者へ促す表示を表示部に表示し、前記シャットダウン指示が前記画像処理装置に通信可能に接続された外部装置を介して受け付けられた場合には、前記電源スイッチの駆動手段を用いて該電源スイッチをＯＦＦ状態に切り替える制御ステップと
を実行することを特徴とする画像処理装置の制御方法。
【請求項５】
請求項４に記載の画像処理装置の制御方法における各ステップをコンピュータに実行させるためのプログラム。
【発明の詳細な説明】
【技術分野】
【０００１】
本発明は、画像処理装置、その制御方法、及びプログラムに関するものである。
【背景技術】
【０００２】
近年、画像処理装置には、ネットワークへ接続する機能が標準的に備えられるようになってきている。ネットワークに接続可能な画像処理装置は、パーソナルコンピュータ等の情報処理装置からネットワークを介してデータやコマンドを受信して処理することで、様々なデータ処理を実行することができる。
【０００３】
また、ネットワークへ接続可能な画像処理装置を、パーソナルコンピュータまたは他の画像処理装置とネットワーク接続してデータをやりとりしているオフィスは非常に多い。このようなオフィスでは、管理者が画像処理装置の前まで行って画像処理装置の電源を切断するのではなく、リモート（遠隔）操作によって画像処理装置の電源を切断することが望まれている。例えば、特許文献１では、情報処理装置に拡張カードを追加し、当該拡張カードを本体と別電源で動作させ、リモート操作で電源ＯＮおよび電源ＯＦＦを実現する技術が提案されている。
【先行技術文献】
【特許文献】
【０００４】
【特許文献１】特開平８−６６７９号公報
【発明の概要】
【発明が解決しようとする課題】
【０００５】
しかしながら、上記従来技術には以下に記載する問題がある。例えば、特許文献１では、情報処理装置に拡張カードを追加し、その拡張カード上のＣＰＵおよびメモリは本体と別な電源で動作させる必要がある。したがって、特許文献１では、リモート操作で電源ＯＮを可能にするために、情報処理装置の電源がＯＦＦであっても、電源ＯＮ指令を受けるために拡張カードには電力を供給する必要がある。また、電源を落とす際、シャトダウン処理終了後にユーザインタフェースに「電源スイッチをお切りください」等のメッセージを表示し、ユーザに電源スイッチを切る操作を促す画像処理装置がある。このような画像処理装置の電源をリモート操作で落とす場合、画像処理装置の近くに人が居ることを期待できない。つまり、ユーザインタフェースにメッセージを表示したとしても、電源スイッチが切られることは期待できない。したがって、このような状態では、画像処理装置の駆動状態がシャットダウンしているにも関わらず、電源スイッチの操作状態がＯＮ状態に操作されたままとなり、無駄な電力を消費し続けてしまう可能性がある。
【０００６】
より深刻な問題となるのは、画像処理装置の電源スイッチがＯＮ状態で、保安点検等で電力供給設備からの通電を停止し、当該保安点検の終了後に電力供給設備からの通電を開始した場合である。このような場合、画像処理装置が一斉に起動を開始するため、画像処理装置の消費電力のピークが重なり、電力供給設備に過大な負荷がかかってしまう問題もある。
【０００７】
本発明は、上述の問題に鑑みて成されたものであり、直接的なユーザ操作を必要とすることなく、電源スイッチを操作することにより、装置の駆動状態と、電源スイッチの操作状態との不一致を防止する画像処理装置、その制御方法、及びプログラムを提供することを目的とする。
【課題を解決するための手段】
【０００８】
本発明は、例えば、画像処理装置であって、前記画像処理装置のシャットダウン指示を受け付ける受付手段と、受け付けた前記シャットダウン指示に従って前記画像処理装置のシャットダウン処理を実行するシャットダウン手段と、前記シャットダウン手段による前記シャットダウン処理の実行が完了すると、前記シャットダウン指示が前記画像処理装置に設けられた操作部を介して受け付けられた場合には、前記画像処理装置の電源を制御するための電源スイッチをＯＦＦ状態に操作するように操作者へ促す表示を表示部に表示し、前記シャットダウン指示が前記画像処理装置に通信可能に接続された外部装置を介して受け付けられた場合には、前記電源スイッチの駆動手段を用いて該電源スイッチをＯＦＦ状態に切り替える制御手段とを備えることを特徴とする。
【発明の効果】
【０００９】
本発明は、直接的なユーザ操作を必要とすることなく、電源スイッチを操作することにより、装置の駆動状態と、電源スイッチの操作状態との不一致を防止する画像処理装置、その制御方法、及びプログラムを提供できる。
【図面の簡単な説明】
【００１０】
【図１】第１の実施形態に係る画像処理装置の構成例を示すブロック図。
【図２】第１の実施形態に係る画像処理装置におけるコントローラの構成例を示すブロック図。
【図３】シャットダウン時における比較例となる操作部の表示を示す図。
【図４】第１の実施形態に係る画像処理装置に具備されたソレノイド付き電源スイッチの構成例を示す図。
【図５】第１の実施形態に係る処理手順を示すフローチャート。
【図６】第２の実施形態に係る処理手順を示すフローチャート。
【発明を実施するための形態】
【００１１】
以下、本発明を実施するための形態について図面を用いて説明する。尚、以下の実施形態は特許請求の範囲に係る発明を限定するものでなく、また実施形態で説明されている特徴の組み合わせの全てが発明の解決手段に必須のものとは限らない。
【００１２】
＜第１の実施形態＞
＜画像処理装置の構成＞
以下では、図１乃至図５を参照して、本発明における第１の実施形態について説明する。本発明に係る情報処理装置の一実施形態としての画像処理装置について説明する。まず、図１を参照して、本実施形態における画像処理装置の構成例について説明する。
【００１３】
画像処理装置１００は、スキャナ装置１０２、プリンタ装置１０４、操作部１０５、補助記憶装置１０６、電源部１０７、電源スイッチ１０８、及びコントローラ１０３を備える。スキャナ装置１０２は、原稿から光学的に画像を読み取りデジタル画像に変換する。プリンタ装置１０４は、デジタル画像を紙媒体に出力する。操作部１０５は、画像処理装置１００の操作をするためのユーザインタフェースであり、タッチパネル式の液晶表示を有する。補助記憶装置１０６は、デジタル画像や制御プログラム等を記憶する。電源部１０７は、スキャナ装置１０２とプリンタ装置１０４とコントローラ１０３への電源供給を制御する。コントローラ１０３は、各モジュールと接続され各モジュールに指示を出すことにより、画像処理装置１００上でジョブを実行する。画像処理装置１００は、ＬＡＮ１１０経由でコンピュータ１０９からデジタル画像の入出力、ジョブの発行や機器の指示等も実施することが可能である。ＬＡＮ１１０とコントローラ１０３は、ＬＡＮ  Ｉ／Ｆ２０８によって接続される。ＬＡＮ  Ｉ／Ｆ２０８及び操作部１０５は、受付手段の一例である。
【００１４】
スキャナ装置１０２は、原稿束を自動的に逐次入れ替えることが可能な原稿給紙ユニット１２１、及び原稿を光学スキャンしデジタル画像に変換することが可能なスキャナユニット１２２を備え、変換された画像データをコントローラ１０３に送信する。プリンタ装置１０４は、給紙した紙に画像データを印刷するためのマーキングユニット１４１、紙束から一枚ずつ逐次給紙可能な給紙ユニット１４２、及び印刷後の紙を排紙するための排紙ユニット１４を備える。
【００１５】
＜コントローラの構成＞
次に、図２を参照して、画像処理装置１００におけるコントローラ１０３の構成例について説明する。コントローラ１０３はメインボード２００と、サブボード２２０とから構成される。
【００１６】
メインボード２００は、いわゆる汎用的なＣＰＵシステムであり、ＣＰＵ２０１、ブートＲＯＭ２０２、メモリ２０３、バスコントローラ２０４、不揮発性メモリ２０５、ディスクコントローラ２０６、フラッシュディスク２０７、及びＬＡＮ  Ｉ／Ｆ２０８を備える。ＣＰＵ２０１は、ボード全体を統括的に制御する。ブートＲＯＭ２０２には、ブートプログラムが含まれる。メモリ２０３は、ＣＰＵ２０１によってワーク領域として使用される。バスコントローラ２０４は、外部バスとのブリッジ機能を持つ。不揮発性メモリ２０５は、電源断された場合でも消えないメモリである。ディスクコントローラ２０６は、ストレージ装置を制御する。フラッシュディスク（ＳＳＤ等）２０７は、半導体デバイスで構成された比較的小容量なストレージ装置である。ＬＡＮ  Ｉ／Ｆ２０８は、外部とネットワーク接続するためのインタフェースである。例えば、図１では、コンピュータ（外部装置）１０９が画像処理装置１００に対してＬＡＮ  Ｉ／Ｆ２０８を介して通信可能に接続されている。メインボード２００には外部に、操作部１０５、補助記憶装置１０６等が接続される。
【００１７】
サブボード２２０は比較的小さな汎用ＣＰＵシステムと、画像処理ハードウェアで構成され、ＣＰＵ２２１、メモリ２２３、バスコントローラ２２４、不揮発性メモリ２２５、画像処理部２２７、及びデバイスコントローラ２２６を備える。ＣＰＵ２２１は、ボード全体を統括的に制御する。メモリ２２３は、ＣＰＵ２２１によってワーク領域として使用される。バスコントローラ２２４は、外部バスとのブリッジ機能を持つ。不揮発性メモリ２２５は、電源断された場合でも消えないメモリである。画像処理部２２７は、リアルタイムデジタル画像処理を実施する。デバイスコントローラ２２６は、スキャナ装置１０２及びプリンタ装置１０４と接続され、各装置とのデータのやり取りを制御する。
【００１８】
なお、本図はブロック図であり簡略化している。例えばＣＰＵ２０１、ＣＰＵ２２１等にはチップセット、バスブリッジ、クロックジェネレータ等のＣＰＵ周辺ハードウェアが多数含まれているが、説明の粒度的に不必要であるため簡略化記載しており、このブロック構成が本発明を制限するものではない。
【００１９】
ここで、コントローラ１０３の動作について、紙媒体による画像複写を例に説明する。ユーザが操作部１０５から画像複写を指示すると、ＣＰＵ２０１は、ＣＰＵ２２１を介してスキャナ装置１０２に原稿の画像読取命令を送る。スキャナ装置１０２は、紙原稿を光学スキャンしデジタル画像データに変換してデバイスコントローラ２２６を介して画像処理部２２７に入力する。画像処理部２２７はＣＰＵ２２１を介してメモリ２２３にＤＭＡ転送を行いデジタル画像データの一時保存を行なう。
【００２０】
ＣＰＵ２０１はデジタル画像データがメモリ２２３に一定量もしくは全て入ったことが確認できると、ＣＰＵ２２１を介してプリンタ装置１０４に画像出力指示を出す。ＣＰＵ２２１は、画像処理部２２７にメモリ２２３に格納された画像データの位置（アドレス）を教える。プリンタ装置１０４からの同期信号に従ってメモリ２２３上の画像データは画像処理部２２７とデバイスコントローラ２２６を介してプリンタ装置１０４に送信され、プリンタ装置１０４において紙媒体にデジタル画像データが印刷される。複数部の印刷を行なう場合には、ＣＰＵ２０１は、メモリ２２３の画像データを補助記憶装置１０６に保存する。したがって、２部目以降はスキャナ装置１０２から画像をもらわずともプリンタ装置１０４に画像を送ることが可能である。
【００２１】
＜比較例＞
次に、図３を参照して、本発明の比較例となるシャットダウン時の操作部における表示例について説明する。操作部を介してユーザがシャットダウン操作を実行すると、メインボードのＣＰＵは、シャットダウン命令を受けて画像処理装置のシャットダウン処理を開始する。具体的には、ＣＰＵは、スキャナ装置、プリンタ装置、サブボード等のシャットダウン処理を実行する。各種シャットダウン処理の最後に「電源スイッチをお切りください」等のメッセージを操作部の表示部に表示するようにし、ユーザに電源スイッチを切るよう促す。このように、比較例における画像処理装置は、シャットダウン指示を受け付けると、各種シャットダウン指示を行い、最後にユーザに対して電源スイッチをＯＦＦにするように促す。このようにして、画像処理装置の駆動状態（ここでは、シャットダウン状態）と、電源スイッチの操作状態（ここでは、ＯＦＦ状態）を一致させている。
【００２２】
しかしながら、画像処理装置の近くに人が居ることを保証できないため、ユーザインタフェースにメッセージを表示したとしても、電源スイッチが切られることは期待できない可能性もある。特に、リモート操作によるシャットダウン指示の場合には、画像処理装置の近くに人が居る可能性は低い。したがって、このような状態では、画像処理装置の駆動状態と、電源スイッチの操作状態とが一致せず、無駄な電力を消費し続けてしまう可能性がある。このような問題を解決するための本願発明の特徴的な構成について以下で説明する。
【００２３】
＜電源スイッチの構成＞
次に、図４を参照して、本実施形態における画像処理装置１００に具備されたソレノイド付き電源スイッチ１０８の構成例について説明する。８１０、８２０は、図１に示す電源スイッチ１０８の電源状態を示す。８１０は電源ＯＮ状態を示し、８２０は電源ＯＦＦ状態を示す。
【００２４】
電源ＯＮ状態８１０において、８１１に示すようにスイッチ８１２は閉状態となりソレノイドに対して通電される。一方、スイッチ８１２を開くことによってソレノイドへの通電が無くなり、電源ＯＦＦ状態８２０へ遷移する。８２１の状態ではソレノイドにドライブ電流が流れなくなり、当該ソレノイドが引かれて電源スイッチ１０８は電源ＯＦＦ状態８２０へ遷移する。このように、電源スイッチ１０８は、ソレノイドにより、スイッチ８１２を開閉することにより、電源ＯＦＦ状態８２０又は電源ＯＮ状態８１０に切り替えることができる。即ち、本実施形態による電源スイッチ１０８を適用することにより、電源スイッチ１０８に対して直接のユーザ操作を必要とすることなく、電源ＯＦＦ状態又は電源ＯＮ状態に操作することができる。
【００２５】
＜処理フロー＞
次に、図５を参照して、本実施形態における画像処理装置１００の処理フローについて説明する。以下で説明する処理は、ＣＰＵ２０１が不揮発性メモリ２０５や補助記憶装置１０６等に格納された制御プログラムをメモリ２０３に読み出して実行することにより実現される。
【００２６】
Ｓ５０１で画像処理装置１００が起動すると、Ｓ５０２において、ＣＰＵ２０１は、印刷要求など、各種要求を受けることができるスタンバイ状態へ装置を遷移させる。続いて、Ｓ５０３において、ＣＰＵ２０１は、画像処理装置１００が受けた要求がシャットダウン要求であるか否かを判定する。シャットダウン要求でなければ再びＳ５０２に処理を戻してスタンバイ状態に遷移し、各種要求を受け付ける状態となる。
【００２７】
一方、画像処理装置１００が受けた要求がシャットダウン要求であればＳ５０４に進み、ＣＰＵ２０１は、各種シャットダウン処理を実行する。シャットダウン処理が完了すると、Ｓ５０５に進み、ＣＰＵ２０１は、シャットダウン要求がリモート操作によるシャットダウン要求であるか否かを判定する。シャットダウン要求がリモート操作によるシャットダウン要求でない場合はＳ５０７に進み、ＣＰＵ２０１は、電源スイッチ１０８をＯＦＦにするよう操作部１０５に表示５０７する。その後、システムとしてパワーオフ状態となり、電源スイッチ１０８がＯＦＦされるのを待つ状態となる。
【００２８】
一方、シャットダウン要求がリモート操作によるシャットダウン要求である場合はＳ５０６に進み、ＣＰＵ２０１は、図４の８２１に示すようにスイッチ８１２を８２１の状態に制御し、ソレノイドを引いて電源スイッチ１０８をＯＦＦにする。システムとしてパワーオフ状態となる。電源スイッチ１０８をＯＦＦ状態に操作することにより、図４の電源スイッチ１０８は、８１０の状態から８２０の状態になる。
【００２９】
以上説明したように、本実施形態に係る画像処理装置は、装置へのシャットダウン要求がリモート操作によるものでなければ、ユーザに電源スイッチ１０８をＯＦＦにするよう促さす。一方、リモート操作によるものであれば、画像処理装置は、図４に示すスイッチ８１２を８２１の状態に操作することによって、電源スイッチ１０８をＯＦＦにする。このように、本願発明によれば、リモート操作によって画像処理装置１００をシャットダウンする場合に、ユーザが当該画像処理装置の近くに居なくとも電源スイッチ１０８をＯＦＦにすることができる。これにより、画像処理装置１００の駆動状態と、電源スイッチ１０８による電源状態との不一致が発生することなく、当該不一致が発生することによる様々な不具合を防止することができる。
【００３０】
＜第２の実施形態＞
以下では、図６を参照して、本発明の第２の実施形態について説明する。上記実施形態では、リモート操作によるシャットダウン指示か否かに基づいて電源スイッチを画像処理装置１００が操作するか否かを判定したが、本実施形態では、以下で説明するユーザ設定に基づいて判定する。本実施形態におけるユーザ設定とは、操作部１０５を介したユーザ（操作者）による入力に従って、電源スイッチ１０８をＯＦＦ状態に制御するための電源スイッチＯＦＦモードの設定を示す。したがって、本実施形態において操作部１０５は、設定手段の一例となる。
【００３１】
図６を参照して、本実施形態における画像処理装置１００の処理フローについて説明する。以下で説明する処理は、ＣＰＵ２０１が不揮発性メモリ２０５や補助記憶装置１０６等に格納された制御プログラムをメモリ２０３に読み出して実行することにより実現される。
【００３２】
Ｓ６０１で画像処理装置１００が起動すると、Ｓ６０２において、ＣＰＵ２０１は、印刷要求など、各種要求を受けることができるスタンバイ状態へ装置１０遷移させる。続いて、Ｓ６０３において、ＣＰＵ２０１は、画像処理装置１００が受けた要求がシャットダウン要求であるか否かを判定する。シャットダウン要求でなければ再びＳ６０２に処理を戻してスタンバイ状態に遷移し、各種要求を受け付ける状態となる。
【００３３】
一方、画像処理装置１００が受けた要求がシャットダウン要求であればＳ６０４に進み、ＣＰＵ２０１は、各種シャットダウン処理を実行する。シャットダウン処理が完了すると、Ｓ６０５に進み、ＣＰＵ２０１は、ユーザ設定をチェックする。Ｓ６０６において、ＣＰＵ２０１は、チェックしたユーザ設定が電源スイッチＯＦＦモードに設定されているか否かを判定する。電源スイッチＯＦＦモードに設定されていればＳ６０７に進み、設定されていなければＳ６０８に進む。
【００３４】
Ｓ６０７において、ＣＰＵ２０１は、ユーザ設定が電源スイッチＯＦＦモードであれば、図４の８２１に示すようにスイッチ８１２を開状態にすることにより、ソレノイドを引いて電源スイッチ１０８をＯＦＦにする。Ｓ６０７の処理が行われると、電源スイッチ１０８は、電源ＯＮ状態８１０から電源ＯＦＦ状態８２０になる。
【００３５】
一方、ユーザ設定が電源スイッチＯＦＦモードでなければ、Ｓ６０８において、ＣＰＵ２０１は、シャットダウン要求がリモートからのシャットダウン要求であるか否かに関わらずユーザに電源スイッチ１０８をＯＦＦするように操作部１０５の表示部に表示する。Ｓ６０７及びＳ６０８の処理が実行されると、システムパワーオフとなる。
【００３６】
以上説明したように、本実施形態に係る画像処理装置は、ユーザ設定が電源スイッチＯＦＦモードに設定されていなければ、ユーザに電源スイッチ１０８をＯＦＦにするように促す。一方、設定されていれば、画像処理装置は、図４に示すスイッチ８１２を８２１の状態に操作することによって、電源スイッチ１０８をＯＦＦにする。このように、本願発明によれば、画像処理装置１００をシャットダウンする場合に、リモート操作によるシャットダウン指示であるか否かに関わらず、ユーザが当該画像処理装置の近くに居なくとも電源スイッチ１０８をＯＦＦにすることができる。これにより、画像処理装置１００の駆動状態と、電源スイッチ１０８の操作状態との不一致が発生することなく、当該不一致が発生することによる様々な不具合を防止することができる。したがって、本実施形態によれば、保安点検等で電力供給設備からの通電を停止し、保安点検等の終了後に電力供給設備からの通電を開始した場合に、画像処理装置が一斉に起動することを防止できる。
【００３７】
＜その他の実施形態＞
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（又はＣＰＵやＭＰＵ等）がプログラムを読み出して実行する処理である。
【図１】
2013122672.tif 000003
【図２】
2013122672.tif 000004
【図３】
2013122672.tif 000005
【図４】
2013122672.tif 000006
【図５】
2013122672.tif 000007
【図６】
2013122672.tif 000008